(57)【要約】      （修正有）【課題】内レールと中レールとは係合ロックを解除でき、内レールを継続して引き出され、中レールと内レールのシンクロ機構及び中レールと外レールの定位機構は相互に結合するスライドレールアセンブリ及びその連接機構を提供する。【解決手段】ロック固定部品１４にはシンクロ連動部品３４を設置し、内レール１６上には釈放部品１８を固定し、連接部品４８は釈放部品１８から延伸して設置し、中レール１２はシンクロ連動部品３４と内レール１６上の連接部品４８により相互に係合ロックされ、中レール１２と内レール１６は外レール１０から同期に引き出され、中レール１２が予定停止位置まで移動後は、ロック固定部品１４を利用し外レール１０と相互固定し、連接部品４８とシンクロ連動部品３４とは離れ、内レール１６は継続して引き出すことができ、内レール１６が中レール１２に収納されると、釈放部品１８を利用して中レール１２と外レール１０との固定を解除し、こうして中レール１２は外レール１０に収納される。【選択図】図１
0003174031.tif 000002
【実用新案登録請求の範囲】
【請求項１】
外レール、中レール、ロック固定部品、シンクロ連動部品、シンクロ連動部品、内レール、釈放部品、連接部品を備える、スライドレールアセンブリであって、
前記外レールには、固定孔及び釈放孔を設置し、
前記中レールは、スライド状に前記外レールに連接し、前記中レール上には、第一穿孔及び第二穿孔を設置し、しかも前記第一穿孔が前記固定孔に対応すると、前記第二穿孔は前記釈放孔にちょうど対応するように構成し、
前記ロック固定部品は、固定部を延伸し、前記中レールに固定状に設置されると共に、ロック固定部及びロック解除部を備え、前記ロック固定部は、前記中レールの第一穿孔内に入り、前記外レールに弾性接触し、前記ロック解除部は、前記ロック固定部に連接し、前記中レールの第一穿孔から突出し、
前記シンクロ連動部品は、前記ロック固定部品の固定部から延伸して設置され、前記中レールの第二穿孔に通して設置し、前記外レールに弾性接触し、前記シンクロ連動部品は、係合ロック凸体、接触停止部を備え、前記係合ロック凸体は、前記中レールの第二穿孔から突出し、前記接触停止部は、前記係合ロック凸体に隣接し、前記係合ロック凸体は、斜面を備え、
前記内レールは、前記中レールにスライド状に連接し、連接孔を備え、前記連接孔内には、凸片を延伸し、
前記釈放部品は、前記内レールに固定状に設置されると共に、前記ロック固定部品のロック解除部に相対する傾斜導引面を備え、
前記連接部品は、前記釈放部品から延伸して設置されると共に、端部を備え、前記内レールの連接孔に対応し、しかも凸片に接触し、前記端部に連なり肩部を延伸し、前記シンクロ連動部品の係合ロック凸体に相対し、
前記中レールが外レールに対して移動する時には、前記ロック固定部品のロック固定部は、前記外レールに接触してスライドし、前記中レールの第一穿孔が移動し、前記外レールの固定孔に対応すると、前記ロック固定部品のロック固定部は、前記外レールの固定孔内に入り、これにより、前記中レールは、前記外レールに対して固定され、
前記内レールが、前記中レールに対して移動し収納される時には、前記ロック固定部品のロック解除部は、前記釈放部品の傾斜導引面により支えられ、これにより、前記ロック固定部品のロック固定部は、前記外レールの固定孔から離脱し、これにより、前記中レールは、前記外レールに対して収納され、
前記内レールが、前記外レールに対して引き出される時には、前記連接部品の肩部と前記シンクロ連動部品の係合ロック凸体とは、相互に係合ロックされ、これにより、前記中レールは、前記内レールにより同期に引き出され、前記中レールを、前記外レールに対して固定後、前記シンクロ連動部品の接触停止部は、前記外レールの釈放孔に入り込み、これにより、前記係合ロック凸体も、第二穿孔から退出し、前記連接部品の肩部と前記シンクロ連動部品の係合ロック凸体とは、係合ロックを解除されると共に、前記内レールから継続して引き出され、
前記中レールを先ず前記外レールに収納し、次に前記内レールを前記中レールに対して移動させる時には、前記シンクロ連動部品の係合ロック凸体の斜面は、前記連接部品をスライドさせ、しかも前記連接部品は、一時的に弾性で、前記内レールの連接孔に入り、前記連接部品の肩部が、前記係合ロック凸体の斜面にスライド接触し、前記連接部品は、弾力ポテンシャルエネルギーを釈放し、これにより、肩部とシンクロ連動部品の係合ロック凸体とは、再び相互に係合ロックされることを特徴とする、スライドレールアセンブリ。
【請求項２】
前記外レールは、前記中レールに向かって突出した中間部分を備え、これにより、前記ロック固定部品のロック固定部と前記シンクロ連動部品の接触停止部とは、接触することを特徴とする、請求項１に記載のスライドレールアセンブリ。
【請求項３】
前記シンクロ連動部品の接触停止部の幅は、前記外レールの固定孔の幅より大きいことを特徴とする、請求項１に記載のスライドレールアセンブリ。
【請求項４】
前記シンクロ連動部品の幅は、前記外レールの固定孔の幅より大きいことを特徴とする、請求項１に記載のスライドレールアセンブリ。
【請求項５】
ロック固定部品、釈放部品、シンクロ連動部品、連接部品を備える、スライドレールアセンブリに用いる連接構造であって、
前記ロック固定部品は、固定部、ロック固定部、ロック解除部を備え、前記ロック解除部は、前記ロック固定部に連接し、前記ロック固定部に突出し、
前記釈放部品は、前記ロック固定部品のロック解除部に相対する傾斜導引面を備え、前記釈放部品の傾斜導引面と前記ロック固定部品のロック解除部は、向かい合って移動し、前記ロック固定部品のロック解除部を支え、これにより、前記ロック固定部品は、弾性湾曲を生じ、前記ロック固定部を移動させ、
前記シンクロ連動部品は、係合ロック凸体及び接触停止部を備え、前記係合ロック凸体に隣接し、前記係合ロック凸体は、斜面を備え、
前記連接部品は、端部を備え、しかも前記端部に連なり延伸する肩部を有し、前記シンクロ連動部品の係合ロック凸体に相対し、
前記連接部品の肩部は、前記シンクロ連動部品の係合ロック凸体に係合ロックし、前記シンクロ連動部品の同期移動を連動し、前記ロック固定部品のロック固定部において定位後、前記シンクロ連動部品の接触停止部は、前記連接部品に対して反対方向に移動し、これにより、前記シンクロ連動部品の係合ロック凸体と前記連接部品の肩部とは、係合ロックが解除され、
前記連接部品が、前記シンクロ連動部品に対して、向かい合って移動する時、前記シンクロ連動部品の係合ロック凸体の斜面連接部品をスライドさせ、しかもこれにより、前記連接部品は一時的に弾性湾曲し、前記肩部がスライドして、前記係合ロック凸体の斜面に接触し、前記連接部品の肩部と前記シンクロ連動部品の係合ロック凸体とは、再び相互に係合ロックすることを特徴とする、スライドレールアセンブリに用いる連接構造。
【請求項６】
前記シンクロ連動部品は、前記ロック固定部品の固定部から延伸して設置されることを特徴とする、請求項５に記載のスライドレールアセンブリに用いる連接構造。
【請求項７】
前記連接部品は、前記釈放部品から延伸して設置されることを特徴とする、請求項５に記載のスライドレールアセンブリに用いる連接構造。
【考案の詳細な説明】
【技術分野】
【０００１】
本考案はスライドレールアセンブリ及びその連接構造に係り、特に三段式のスライドレールアセンブリで、三段式のスライドレールアセンブリにおいて、中レールと外レールの定位、及び中レールと内レールとは同期の連接構造であるスライドレールアセンブリ及びその連接構造に関する。
【背景技術】
【０００２】
スライドレールの定位機構には、特許文献１の「Lock  and  release  mechanism  for  slide  assembly」、特許文献２の「Locating  structure  for  a  slide  assembly」がある。三段式スライドレールのシンクロ機構には、特許文献３の「Synchronizing  device  for  a  tri-sector  slide」、特許文献４の「Synchronous  system  for  a  three-stage  ball  bearing  slide」がある。
【０００３】
上記した各特許文献の特徴は、次の通りである。定位機構については、係合ロックブロックと係合ロック孔或いは係合ロック凹槽との間を相互に係合ロックし、これによりスライドレール間を、確実に定位し、及び確実に同期スライドさせる。シンクロ機構については、係合ロックブロックと係合ロック孔或いは係合ロック凹槽との間の係合ロックをスムーズに解除し、これによりスライドレール間で、スムーズに相対移動可能とする。
【０００４】
すなわち、スライドレール間を、確実に係合ロックし、スムーズに係合ロックを解除する機構に、研究開発の目標が集中している。別に、上記した各特許文献の定位機構とシンクロ機構はみな、単独で設置されるが、この種の設置方式には、数段階の加工プロセスが必要であるため、製造及び材料コストが高くなってしまう。本考案は、従来のスライドレールアセンブリの定位機構とシンクロ機構の上記した欠点に鑑みてなされたものである。
【先行技術文献】
【特許文献】
【０００５】
【特許文献１】米国特許第6464311号公報
【特許文献２】米国特許第7357468号公報
【特許文献３】米国特許第6997529号公報
【特許文献４】米国特許第7413269号公報
【考案の概要】
【考案が解決しようとする課題】
【０００６】
本考案が解決しようとする課題は、三段式のスライドレールアセンブリが閉鎖位置から引き出された時、内レールと中レールは引き出される行程において、確実に係合ロックされ、同期に引き出され、適当な引き出し位置において、中レールと外レールとは相互に定位され、しかも内レールと中レールとは係合ロックを解除でき、内レールを継続して引き出され、さらに中レールと内レールのシンクロ機構及び中レールと外レールの定位機構は相互に結合するスライドレールアセンブリ及びその連接構造を提供することである。
【課題を解決するための手段】
【０００７】
上記課題を解決するため、本考案は下記のスライドレールアセンブリ及びその連接構造を提供する。
スライドレールアセンブリは、外レール、中レール、ロック固定部品、シンクロ連動部品、シンクロ連動部品、内レール、釈放部品、連接部品を備え、
該外レールは、固定孔及び釈放孔を設置し、該中レールは、スライド状に該外レールに連接し、該中レール上には、第一穿孔及び第二穿孔を設置し、しかも該第一穿孔が該固定孔に対応すると、該第二穿孔は該釈放孔にちょうど対応し、
該ロック固定部品は、固定部を延伸し、該中レールに固定状に設置し、該ロック固定部品は、ロック固定部及びロック解除部を備え、該ロック固定部は、該中レールの第一穿孔内に入り、該外レールに弾性接触し、該ロック解除部は、該ロック固定部に連接し、該中レールの第一穿孔から突出し、
該シンクロ連動部品は、該ロック固定部品の固定部から延伸して設置し、該中レールの第二穿孔に通して設置し、該外レールに弾性接触し、該シンクロ連動部品は、係合ロック凸体、接触停止部を備え、該係合ロック凸体は、該中レールの第二穿孔から突出し、該接触停止部は、該係合ロック凸体に隣接し、該係合ロック凸体は、斜面を備え、
該内レールは、該中レールにスライド状に連接し、連接孔を備え、該連接孔内には、凸片を延伸し、
該釈放部品は、該内レールに固定状に設置し、該釈放部品は、該ロック固定部品のロック解除部に相対する傾斜導引面を備え、
該連接部品は、該釈放部品から延伸して設置し、該連接部品は、端部を備え、該内レールの連接孔に対応し、しかも凸片に接触し、及び該端部に連なり肩部を延伸し、該シンクロ連動部品の係合ロック凸体に相対し、
該中レールが外レールに対して移動する時には、該ロック固定部品のロック固定部は、該外レールに接触してスライドし、該中レールの第一穿孔が移動し、該外レールの固定孔に対応すると、該ロック固定部品のロック固定部は、該外レールの固定孔内に入り、これにより該中レールは、該外レールに対して固定され、
該内レールが、該中レールに対して移動し収納される時には、該ロック固定部品のロック解除部は、該釈放部品の傾斜導引面により支えられ、これにより、該ロック固定部品のロック固定部は、該外レールの固定孔から離脱し、これにより該中レールは、該外レールに対して収納され、
該内レールが、該外レールに対して引き出される時には、該連接部品の肩部と該シンクロ連動部品の係合ロック凸体とは、相互に係合ロックされ、これにより該中レールは、該内レールにより同期に引き出され、該中レールを、該外レールに対して固定後、該シンクロ連動部品の接触停止部は、該外レールの釈放孔に入り込み、これにより、該係合ロック凸体も、第二穿孔から退出し、該連接部品の肩部と該シンクロ連動部品の係合ロック凸体とは、係合ロックを解除し、こうして該内レールから継続して引き出され、
該中レールを先ず該外レールに収納し、次に該内レールを該中レールに対して移動させる時には、該シンクロ連動部品の係合ロック凸体の斜面は、該連接部品をスライドさせられ、しかも該連接部品は、一時弾性で、該内レールの連接孔に入り、該連接部品の肩部が、該係合ロック凸体の斜面にスライド接触し、越えた後は、該連接部品は、弾力ポテンシャルエネルギーを釈放し、これによりその肩部とシンクロ連動部品の係合ロック凸体とは、再び相互に係合ロックされ、
好ましくは、該外レールは、該中レールに向かい突出した中間部分を備え、これにより該ロック固定部品のロック固定部と該シンクロ連動部品の接触停止部とは、接触し、
好ましくは、該シンクロ連動部品の接触停止部の幅は、該外レールの固定孔の幅より大きく、
好ましくは、該シンクロ連動部品の幅は、該外レールの固定孔の幅より大きく、
スライドレールアセンブリに用いる連接構造は、ロック固定部品、釈放部品、シンクロ連動部品、連接部品を備え、
該ロック固定部品は、固定部、ロック固定部、ロック解除部を備え、該ロック解除部は、該ロック固定部に連接し、該ロック固定部に突出し、
該釈放部品は、該ロック固定部品のロック解除部に相対する傾斜導引面を備え、
該釈放部品の傾斜導引面と該ロック固定部品のロック解除部は、向かい合って移動し、該ロック固定部品のロック解除部を支え、これにより該ロック固定部品は、弾性湾曲を生じ、該ロック固定部を移動させ、
該シンクロ連動部品は、係合ロック凸体及び接触停止部を備え、該係合ロック凸体に隣接し、該係合ロック凸体は、斜面を備え、
及び該連接部品は、端部を備え、しかも該端部に連なり肩部を延伸し、該シンクロ連動部品の係合ロック凸体に相対し、
該連接部品の肩部は、該シンクロ連動部品の係合ロック凸体に係合ロックし、該シンクロ連動部品の同期移動を連動し、該ロック固定部品のロック固定部において定位後、該シンクロ連動部品の接触停止部は、該連接部品に対して反対方向に移動し、これにより該シンクロ連動部品の係合ロック凸体と該連接部品の肩部とは、係合ロックを解除され、
該連接部品が、該シンクロ連動部品に対して、向かい合って移動する時、該シンクロ連動部品の係合ロック凸体の斜面連接部品をスライドさせ、しかもこれにより該連接部品は一時的に弾性湾曲し、該肩部がスライドして、該係合ロック凸体の斜面に接触し、越えた後、該連接部品の肩部と該シンクロ連動部品の係合ロック凸体とは、再び相互に係合ロックし、
好ましくは、該シンクロ連動部品は、該ロック固定部品の固定部から延伸して設置し、
好ましくは、該連接部品は、前記釈放部品から延伸して設置する。
【考案の効果】
【０００８】
本考案のスライドレールアセンブリ及びその連接構造は、三段式のスライドレールアセンブリが閉鎖位置から引き出された時、内レールと中レールは引き出される行程において、確実に係合ロックされ、同期に引き出され、適当な引き出し位置において、中レールと外レールとは相互に定位され、しかも内レールと中レールとは係合ロックを解除でき、内レールを継続して引き出され、さらに中レールと内レールのシンクロ機構及び中レールと外レールの定位機構は相互に結合する。
【図面の簡単な説明】
【０００９】
【図１】本考案の実施例の立体分解図である。
【図２】本考案の実施例の内レールが外レールに収納される様子を示す模式図である。
【図３】本考案の実施例中の内レールが外レールから引き出される初期段階行程の模式図である。
【図４】本考案の実施例の内レールと中レールが連動して予定位置まで移動する時、中レールが外レールに固定される様子を示す模式図である。
【図５】本考案の実施例において、内レールが中レールとの連動を解除し、継続して引き出し可能となる様子を示す模式図である。
【図６】本考案の実施例において、内レールが外レールに対して収納され、中レール固定状態が解除される様子を示す模式図である。
【図７】本考案の実施例において、中レールが先ず収納される時の釈放部品の動作模式図である。
【図８】本考案の別種の実施例において、シンクロ連動部品と外レールの固定孔との相対幅を示す模式図である。
【考案を実施するための形態】
【００１０】
以下に図面を参照しながら本考案を実施するための最良の形態について詳細に説明する。
【００１１】
図１及び図２に示す本考案スライドレールアセンブリ及びその連接構造の実施例は、外レール10、中レール12、ロック固定部品14、内レール16、釈放部品18を備える。
【００１２】
外レール10は、固定孔20、釈放孔22、突出した中間部分24を備える。中レール12は、スライド状に外レール10に連接する。中レール12上には、第一穿孔26及び第二穿孔28を設置し、しかも第一穿孔26が固定孔20に対応すると、第二穿孔28は釈放孔22にちょうど対応する(図４を参照)。ロック固定部品14は、固定部29を延伸し、中レール12に固定状に設置する。
【００１３】
一実施例中では、固定部29は、一対の孔31を備え、中レール12は、一対の凸部33を備え、一対の孔31に対応して通して設置することができる。さらに、ある手段、例えば、リベット結合固定方式を用い、一対の凸部33は、一対の孔31に固定される。これにより、ロック固定部品14は、中レール12に固定して設置される。
【００１４】
ロック固定部品14は、ロック固定部30及びロック解除部32を備える。ロック固定部30は、中レール12の第一穿孔26内に入り、外レール10の中間部分24上に弾性接触する。ロック解除部32は、ロック固定部30に連接し、中レール12の第一穿孔26から突出する。
【００１５】
本実施例中はさらに、シンクロ連動部品34を備える。好ましくは、シンクロ連動部品34は、ロック固定部品14の固定部29から延伸して設置し、中レール12の第二穿孔28に通して設置し、外レール10の中間部分24上に弾性接触する。シンクロ連動部品34は、係合ロック凸体36、接触停止部38を備え、係合ロック凸体36は、中レール12の第二穿孔28から突出し、接触停止部38は、係合ロック凸体36に隣接する。係合ロック凸体36は、斜面40を備える。
【００１６】
内レール16は、中レール12にスライド状に連接し、内レール16上には、連接孔42を設置し、連接孔42内には、凸片44を延伸する。
【００１７】
釈放部品18は、内レール16に固定状に設置する。一実施例中では、釈放部品18は、一対の孔35を備え、内レール16は、一対の凸部37を備え、一対の孔35に対応して通して設置する。また、例えば、リベット結合固定方式を用い、一対の凸部37を、一対の孔35に固定して接続する。これにより、釈放部品18は、内レール16に固定状に設置する。しかも、釈放部品18は、ロック固定部品14のロック解除部32に相対する傾斜導引面46を備える。
【００１８】
本実施例中はさらに、連接部品48を備える。好ましくは、連接部品48は、釈放部品18から延伸して設置する。連接部品48は、端部50を備え、内レール16の連接孔42に対応し、しかも凸片44に接触し、端部50に連なり肩部52を延伸し、シンクロ連動部品34の係合ロック凸体36に相対する。
【００１９】
好ましくは、シンクロ連動部品34の接触停止部38の幅(W1)は、外レール10の固定孔20幅(W2)より大きい。これにより、シンクロ連動部品34は接触停止部38により、外レール10の中間部分24にスライドして接触し、固定孔20を経由する時、シンクロ連動部品34は、固定孔20内に入り込まない。こうして、シンクロ連動部品34は、固定孔20位置をスムーズに経由することができる。
【００２０】
また、図８に示すように、別種の実施例中では、シンクロ連動部品34aは、少なくとも１個の係合ロック凸体36aを備え、中レール12aの第二穿孔28aから突出する。しかも、シンクロ連動部品34aの幅(W3)は、外レール10aの固定孔20a幅(W4)より大きい。これにより、シンクロ連動部品34aは、外レール10aの中間部分24aにスライド接触し固定孔20aを経由する時、シンクロ連動部品34aは、固定孔20a内に入り込まない。こうして、シンクロ連動部品34aは、固定孔20a位置をスムーズに経由することができる。
【００２１】
図２に示すように、内レール16が外レール10に既に収納された時には、シンクロ連動部品34は、接触停止部38により外レール10の中間部分24に接触する。しかも、連接部品48の肩部52は、シンクロ連動部品34の係合ロック凸体36に対応する。内レール16が外レール10から引き出される初期段階行程では、図３に示すように、肩部52により係合ロック凸体36に接近し、相互に係合してロックする。こうして、内レール16と中レール12は、連動関係を生じる。
【００２２】
図４に示すように、内レール16と中レール12は連動して同期移動する。すなわち、中レール12が外レール10に対して前進移動すると、ロック固定部品14のロック固定部30は、外レール10の中間部分24上に接触してスライド移動する。中レール12の第一穿孔26が、対応する外レール10の固定孔20まで移動すると、ロック固定部品14の弾性を備えるロック固定部30は、弾力ポテンシャルエネルギーを釈放し、外レール10の固定孔20内に入る。これにより、中レール12は外レール10に固定され、特に、中レール12を後方へ向けて収納することはできない。
【００２３】
同時に、図４に示すように、中レール12の第一穿孔26は、外レール10の固定孔20に対応する。これにより、中レール12が固定されると、中レール12の第二穿孔28は、外レール10の釈放孔22にちょうど対応する。中レール12が外レール10に固定された後、シンクロ連動部品34の接触停止部38は、連接部品48に相対して反対方向に移動するため、シンクロ連動部品34の接触停止部38は、外レール10の釈放孔22に入り込む。これにより、係合ロック凸体36も、第二穿孔28から退出し、連接部品48の肩部52とシンクロ連動部品34の係合ロック凸体36とは、係合ロックを解除し、内レール16を継続して引き出すことができる(図５を参照)。
【００２４】
中レール12が外レール10に固定され、後方へと戻して収納することができない状態で、その固定状態を解除する場合には、図６に示すように、内レール16を外レール10に対して、後方へと収納する過程において、釈放部品18の傾斜導引面46とロック固定部品14のロック解除部32は、向かい合って移動し、傾斜導引面46により、ロック解除部32を支える。これにより、ロック固定部品14のロック固定部30は、外レール10の固定孔20から離脱し、中レール12は外レール10に再度収納することができる。
【００２５】
図７に示すように、中レール12を先ず外レール10に収納し、次に、内レール16を中レール12に対して移動させる時、連接部品48はシンクロ連動部品34に向かい合って移動する。シンクロ連動部品34は、接触停止部38により、外レール10の中間部分24に接触するため、係合ロック凸体36の固定を解除することはできない。この時、係合ロック凸体36の斜面40を利用し、連接部品48をスライドさせ、こうして連接部品48は弾性により一時的に内レール16の連接孔42に入る。さらに、連接部品48の肩部52が係合ロック凸体36を越えた後、連接部品48は、弾力ポテンシャルエネルギーを釈放し、これにより連接部品48の肩部52とシンクロ連動部品34の係合ロック凸体36とは、相互に係合してロックする連動関係に再び戻ることができる。
【００２６】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００２７】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００２８】
10：外レール
10a：外レール
12：中レール
12a：中レール
14：ロック固定部品
16：内レール
18：釈放部品
20：固定孔
20a：固定孔
22：釈放孔
24：中間部分
24a：中間部分
26：第一穿孔
28：第二穿孔
28a：第二穿孔
29：固定部
30：固定部
31：孔
32：ロック解除部
33：凸部
34：シンクロ連動部品
34a：シンクロ連動部品
35：孔
36：係合ロック凸体
36a：係合ロック凸体
37：凸部
38：接触停止部
40：斜面
42：連接孔
44：凸片
46：傾斜導引面 
48：連接部品
50：端部
52：肩部
【図１】
0003174031.tif 000003
【図２】
0003174031.tif 000004
【図３】
0003174031.tif 000005
【図４】
0003174031.tif 000006
【図５】
0003174031.tif 000007
【図６】
0003174031.tif 000008
【図７】
0003174031.tif 000009
【図８】
0003174031.tif 000010